(57)【要約】【課題】階段施工において蹴込板の踏板に対する固定および踏板の側板に対する固定を外観性および作業性良く行うことのできる、新しい階段板固定構造を提供する。【解決手段】階段板をネジ釘打ち固定する階段板固定構造であって、階段板である踏板（１）の後部（１１）上面に溝後端縁（１２ａ）が溝前端縁（１２ｂ）よりも低い後嵌入溝（１２）を設け、別の階段板である蹴込板（２）の下端部（２１）を後嵌入溝（１２）に嵌め込み溝後端縁（１２ａ）側からネジ釘打ちして踏板（１）に固定する。【選択図】    図１
2004176293.tif 000002
【特許請求の範囲】
【請求項１】
階段板をネジ釘打ち固定する階段板固定構造であって、階段板である踏板の後部上面に溝後端縁が溝前端縁よりも低い後嵌入溝を設け、別の階段板である蹴込板の下端部を後嵌入溝に嵌め込み溝後端縁側からネジ釘打ちして踏板に固定したことを特徴とする階段板固定構造。
【請求項２】
後嵌入溝の後壁が傾斜面となっていることを特徴とする請求項１記載の階段板固定構造。
【請求項３】
踏板の後部を後嵌入溝内にてネジ釘打ちして側板に固定したことを特徴とする請求項１記載の階段板固定構造。
【請求項４】
踏板の前部上面に前嵌入溝を設け、踏板の後部を前嵌入溝内にてネジ釘打ちして側板に固定したことを特徴とする請求項１記載の階段板固定構造。
【請求項５】
前嵌入溝が段鼻カバー取付用のものであることを特徴とする請求項４記載の階段板固定構造。
【請求項６】
側板における蹴込板が沿う縦辺の下部に打込み用逃げ空間を設けたことを特徴とする請求項１記載の階段板固定構造。
【発明の詳細な説明】
【０００１】
【発明の属する技術分野】
この出願の発明は、階段板固定構造に関するものである。さらに詳しくは、この出願の発明は、階段施工において蹴込板の踏板に対する固定および踏板の側板に対する固定を外観性および作業性良く行うことのできる、新しい階段板固定構造に関するものである。
【０００２】
【従来の技術】
従来、階段の各段の施工については、たとえば図３に例示したように、踏板（１）の後部（１１）上面に後嵌入溝（１２）を設け、下端部（２１）を嵌め込みさらに背面部（２２）の後側からネジ釘打ちすることで蹴込板（２）を踏板（１）に対して立設且つ固定する構造（特許文献１参照）や、たとえば図４に例示したように、その後嵌入溝（１２）を蹴込板（２）の立設に利用する他に、嵌入溝（１２）内で側方に向けてネジ釘打ちすることで踏板（１）自体を側板（３）に対して固定する構造（特許文献２参照）が知られている。
【０００３】
【特許文献１】
特開平１１−３５０６９１号公報
【特許文献２】
特開２０００−１７８０６号公報
【０００４】
【発明が解決しようとする課題】
しかしながら、これら従来の固定構造では、後嵌入溝（１２）における開口部分の溝後端縁（１２ａ）の高さと溝前端縁（１２ｂ）の高さが同一で（図３参照）、単に後部（１１）上面に溝を掘っただけのものとなっており、この嵌入溝（１２）では、蹴込板（２）を踏板（１）にネジ釘打ち固定する際にネジ釘（４）（ネジ、ビス、釘など。以下同じ）がその打込角度によっては表面に露見する恐れがあり、外観性に不都合が考えられる。
【０００５】
また一方で、踏板（１）を側板（３）にネジ釘打ち固定する場合には、ネジ釘（５）を深い後嵌入溝（１２）内にて奥深くまで打込む必要があり（図４参照）、作業性に不都合が考えられる。
【０００６】
そこで、この出願の発明は、以上のとおりの事情に鑑み、階段施工において蹴込板の踏板に対する固定および踏板の側板に対する固定を外観性および作業性良く行うことのできる、新しい階段板固定構造を提供することを課題としている。
【０００７】
【課題を解決するための手段】
この出願の発明は、上記の課題を解決するものとして、第１には、階段板をネジ釘打ち固定する階段板固定構造であって、階段板である踏板の後部上面に溝後端縁が溝前端縁よりも低い後嵌入溝を設け、別の階段板である蹴込板の下端部を後嵌入溝に嵌め込み溝後端縁側からネジ釘打ちして踏板に固定したことを特徴とする階段板固定構造を提供する。
【０００８】
また、この出願の発明は、第２には、前記後嵌入溝の後壁が傾斜面となっていることを特徴とする階段板固定構造、第３には、前記踏板の後部を後嵌入溝内にてネジ釘打ちして側板に固定したことを特徴とする階段板固定構造、第４には、前記踏板の前部上面に前嵌入溝を設け、踏板の後部を前嵌入溝内にてネジ釘打ちして側板に固定したことを特徴とする階段板固定構造、第５には、前記前嵌入溝が段鼻カバー取付用のものであることを特徴とする階段板固定構造、第６には、前記側板における蹴込板が沿う縦辺の下部に打込み用逃げ空間を設けたことを特徴とする階段板固定構造を提供する。
【０００９】
【発明の実施の形態】
［第１の実施形態］
上記のとおりの特徴を有するこの出願の発明によれば、たとえば図１に例示したように、階段板である踏板（１）と蹴込板（２）について、踏板（１）の後部（１１）上面に溝後端縁（１２ａ）が溝前端縁（１２ｂ）よりも低い後嵌入溝（１２）を設け、蹴込板（２）の下端部（２１）を後嵌入溝（１２）に嵌め込み溝後端縁（１２ａ）側からネジ釘打ちして踏板（１）に固定するように構成することで、蹴込板（２）の踏板（１）に対する固定を外観性および作業性良く行うことが可能な階段板固定構造を実現できる。
【００１０】
より具体的には、図１の実施形態では、まず、踏板（１）の後部（１１）上面に、後嵌入溝（１２）が、後端縁（１１１）よりある程度前側に寄った位置にて、後端縁（１１１）に沿って幅方向に形成されており、その溝後端縁（１２ａ）側の後部（１１）上面スペースが溝前端縁（１２ｂ）側の踏み面スペースよりも低くされて、溝後端縁（１２ａ）の高さが溝前端縁（１２ｂ）の高さよりも低いものとなっている。
【００１１】
これにおいて、蹴込板（２）は、その下端部（２１）が後部（１１）上面に嵌入され、さらに背面部（２２）の後側つまり溝後端縁（１２ａ）側からネジ釘打ちされて、踏板（１）に固定される。
【００１２】
そして、後嵌入溝（１２）の溝後端縁（１２ａ）が溝前端縁（１２ｂ）よりも低く、その低い溝後端縁（１２ａ）側からの打込みなので、ネジ釘（４）が表面側へ露見することが少なくなり、従来のような外観性についての不都合が解消されている。
【００１３】
後嵌入溝（１２）については、さらに、その後壁（１２１）を傾斜面とすることも考慮できる。より具体的には、後壁（１２１）を溝後端縁（１２ａ）がある上部から溝底部に向けてテーパ−状に傾斜させて形成する。これにより、蹴込板（２）の下端部（２１）を後嵌入溝（１２）に嵌入させていくと、後嵌入溝（１２）の前壁（１２２）側に寄せられて密着することとなり、蹴込板（２）と後嵌入溝（１２）との表側からの隙間を無くせ、外観性のさらなる向上を図ることができるのである。
【００１４】
［第２の実施形態］
またさらに、この出願の発明によれば、たとえば図２に例示したように、上述の後嵌入溝（１２）内にて踏板（１）の後部（１１）をネジ釘打ちして側板（３）に固定するように構成することで、踏板（１）の側板（３）に対する固定を外観性および作業性良く行うことが可能な階段板固定構造をも実現できる。
【００１５】
より具体的には、図２の実施形態では、蹴込板（２）の下端部（２１）のネジ釘打ち固定に加えて、同じ後嵌入溝（１２）内にてネジ釘（５）を側方へ向けて打ち込み、踏板（１）の後部（１１）を側板（３）に固定している。
【００１６】
これにより、踏板（１）の後部（１１）上面に設けた一つの後嵌入溝（１２）にて、蹴込板（２）の下端部（２１）の踏板（１）に対するネジ釘打ち固定と、踏板（１）の後部（１１）の側板（３）に対するネジ釘打ち固定とを行うことができるので、その他の余計な溝等を設ける必要もなくなり、後部（１１）の加工処理の簡易化や外観性がさらに向上される。
【００１７】
そして、後嵌入溝（１２）は上述したとおり溝後端縁（１２ａ）の高さが低いので、溝後端縁（１２ａ）側では溝深さが浅くなり、ネジ釘（５）の打込みが行い易く、さらに優れた作業性をも実現している。もちろんネジ釘（５）が表面に露見することもない。
【００１８】
また、本実施形態では、側板（３）における蹴込板（２）が沿う縦辺（３１）の下部に打込み用逃げ空間（３２）が設けられてもいる。この打込み用逃げ空間（３２）の存在により、ネジ釘（５）の打込みをより一層容易ならしめることができ、さらに一層優れた作業性が実現されているのである。
【００１９】
［第３の実施形態］
ところで、上記各実施形態は踏板（１）の後部（１１）でのネジ釘打ち固定についてのものであるが、踏板（１）についてはその前部（１３）も側板（３）に固定することが当然好ましい。
【００２０】
そこでさらに、この出願の発明によれば、図２に例示したように、踏板（１）の前部（１３）上面に前嵌入溝（１４）を設け、その前嵌入溝（１４）内にて前部（１３）を側板（３）に対してネジ釘打ち固定する構造をも実現される。図２の実施形態では、踏板（１）の前部（１３）上面において、前嵌入溝（１４）が、前端縁（１３１）よりある程度後側に寄った位置にて、前端縁（１３１）に沿って幅方向に形成されており、この前嵌入溝（１４）内にて側方に向けてネジ釘（６）が打ち込まれている。
【００２１】
また、本実施形態の前嵌入溝（１４）は、溝前端縁（１４ｂ）が溝後端縁（１４ａ）よりも低くなっており、低い縁が逆ではあるが前述の後嵌入溝（１２）と同様に、ネジ釘（６）の打込みが行い易くなってもいる。
【００２２】
このような前嵌入溝（１４）は、本実施形態では、鼻段カバー（７）を取り付けるためにも使用されており、段鼻カバー（７）の引掛け片（７１）が前嵌入溝（１４）に嵌入され引っ掛け可能となっている。逆に言うと、段鼻カバー（７）取付用の前嵌入溝（１４）を踏板（１）前部（１３）のネジ釘打ち固定に用いてもよいのである。したがって、踏板（１）および段鼻カバー（７）別々の溝を設ける必要はなく、前部（１３）の加工処理の簡易化や外観性の向上をさらに図ることができる。
【００２３】
なお、段鼻カバー（７）以外にも、たとえば滑り止め部材等を取り付けるための溝として共用するなど、様々な共用バリエーションを考慮でき、いずれの場合にも上述と同様に踏板（１）の前部（１３）の加工処理を容易ならしめ、踏板（１）および各種部材ともに作業性や外観性の向上を図ることができる。
【００２４】
もちろん、この出願の発明は以上の実施形態に限定されるものではなく、細部については様々な態様が可能である。
【００２５】
【発明の効果】
以上詳しく説明したとおり、この出願の発明によって、階段の各段の施工において蹴込板の踏板に対する固定および踏板の側板に対する固定を外観性および作業性良く行うことのできる、新しい階段板固定構造が提供される。
【図面の簡単な説明】
【図１】（ａ）（ｂ）は各々この出願の発明の一実施形態を示した要部拡大断面図である。
【図２】この出願の発明の別の一実施形態を示した断面図である。
【図３】従来例を示した断面図である。
【図４】別の従来例を示した断面図である。
【符号の説明】
１  踏板
１１  後部
１１１  後端縁
１２  後嵌入溝
１２ａ  溝後端縁
１２ｂ  溝前端縁
１２１  後壁
１２２  前壁
１３  前部
１３１  前端縁
１４  前嵌入溝
１４ａ  溝後端縁
１４ｂ  溝前端縁
２  蹴込板
２１  下段部
２２  背面部
３  側板
３１  縦片
３２  打込み用逃げ空間
４  ネジ釘
５  ネジ釘
６  ネジ釘
７  段鼻カバー
７１  引掛け片
【図１】
2004176293.tif 000003
【図２】
2004176293.tif 000004
【図３】
2004176293.tif 000005
【図４】
2004176293.tif 000006